Podtech/llm-jp-corpus-v4-ja_patent huggingface dataset:
【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
式Ｉ
【化１】
2006515611.tif 000001
〔式中、
R1、R3 及び R4 は、互いに独立して、Ｈ、Ｆ、Cl、Br、OH、CF3、NO2、CN、OCF3、(C1−C6)−アルキル、(C2−C6)−アルケニル、(C2−C6)−アルキニル、O−(C1−C10)−アル
キル、O−(C1−C10)−アルケニル、O−(C2−C10)−アルキニル、S−(C1−C6)−アルキル
、S−(C2−C6)−アルケニル、S−(C2−C6)−アルキニル、(C3−C7)−シクロアルキル、(C3−C7)−シクロアルキル−(C1−C4)−アルキルであり、ここでアルキル、アルケニル、アルキニル及びシクロアルキルは Ｆ、Cl、Br、SO−フェニル、SO2−フェニル又はフェニルにより１回より多く置換されることができ、ここでフェニル環は Ｆ、Cl、Br 若しくは R13 により又は OR13、COOR13、CON(R14)(R15)、N(R14)(R15) 又は CO−ヘテロアルキル、O−SO−(C1−C6)−アルキル、O−SO2−(C1−C6)−アルキル、O−SO2−(C6−C10)−アリール、O−(C6−C10)−アリールにより置換されることができ、ここでアリールは Ｆ、Cl、CN、OR13、R13、CF3 又は OCF3、SO−(C1−C6)−アルキル、SO2−(C1−C6)−アルキル、SO2−(C6−C10)−アリールにより２回まで置換されることができ、ここでフェニル環は Ｆ、Cl、Br、CN、OR13、R13、CF3、OCF3、COOR13 もしくは CON(R14)(R15)、SO2−N(R14)(R15)、COOR13、CO−ヘテロアルキル、N(R14)(R15)又はヘテロアルキルにより２回まで置換されることができ、
R13、R14 及び R15 は、互いに独立して、H、(C1−C6)−アルキル又はフェニルである
〕
の化合物、及びそれらの生理的に許容される塩。
【請求項２】
R1 は Ｈ 又は (C1−C6)−アルキルであり、
R3 及び R4 は、互いに独立して、Ｈ、F、Cl、Br、OH、CF3、NO2、CN、OCF3、(C1−C6)−アルキル、(C2−C6)−アルケニル、(C2−C6)−アルキニル、O−(C1−C10)−アルキル、O−(C1−C10)−アルケニル、O−(C2−C10)−アルキニル、S−(C1−C6)−アルキル、S−(C2−C6)−アルケニル、S−(C2−C6)−アルキニル、(C3−C7)−シクロアルキル、(C3−C7)
−シクロアルキル−(C1−C4)−アルキルであり、ここでアルキル、アルケニル、アルキニル及びシクロアルキルは Ｆ、Cl、Br、SO−フェニル、SO2−フェニル又はフェニルにより１回より多く置換されることができ、ここでフェニル環は Ｆ、Cl、Br 若しくは R13、又は OR13、COOR13、CON(R14)(R15)、N(R14)(R15) 又は CO−ヘテロアルキル、O−SO−(C1
−C6)−アルキル、O−SO2−(C1−C6)−アルキル、O−SO2−(C6−C10)−アリール、O−(C6−C10)−アリールにより置換されることができ、ここでアリールは F、Cl、CN、OR13、R13、CF3 又は OCF3、SO−(C1−C6)−アルキル、SO2−(C1−C6)−アルキル、SO2−(C6−C10)−アリールにより２回まで置換されることができ、ここでフェニル環は Ｆ、Cl、Br、CN、OR13、R13、CF3、OCF3、COOR13 もしくは CON(R14)(R15)、SO2−N(R14)(R15)、COOR13、CO−ヘテロアルキル、N(R14)(R15)又はヘテロアルキルにより２回まで置換されることができ、
R13、R14 及び R15 は、互いに独立して、Ｈ、(C1−C6)−アルキル又はフェニルである、
請求項１に記載の式Ｉの化合物、及びそれらの生理的に許容される塩。
【請求項３】
R1 は (C1−C6)−アルキルであり、
R3 は (C1−C6)−アルキル−フェニル又は (C2−C6)−アルケニル−フェニルであり、
ここで、フェニル環は Ｆ、Cl、Br、OR13 又は R13 により置換されることができ、
R4 は (C1−C6)−アルキル又は (C1−C6)−アルキレン−Ｄであり、
R13 は (C1−C6)−アルキル又はフェニルである、
請求項１又は２に記載の式Ｉの化合物、及びそれらの生理的に許容される塩。
【請求項４】
請求項１〜３のいずれか１項に記載の１つまたはそれより多くの化合物を含む医薬。
【請求項５】
請求項１〜３のいずれか１項に記載の１つまたはそれより多くの化合物及び少なくとも１つの追加の活性化合物を含む医薬。
【請求項６】
追加の活性化合物として、１つまたはそれより多くの抗糖尿病薬、低血糖活性化合物、HMGCoA 還元酵素阻害剤、コレステロール吸収阻害剤、PPAR ガンマ作動薬、PPAR アルファ作動薬、PPAR アルファ／ガンマ作動薬、フィブレート、MTP 阻害剤、胆汁酸吸収阻害剤、CETP 阻害剤、ポリマー胆汁酸吸収剤、LDL 受容体誘発物質、ACAT 阻害剤、抗酸化剤、リポタンパク質リパーゼ阻害剤、ATP シトレートリアーゼ阻害剤、スクアレン合成酵素阻害剤、リポタンパク質（ａ）拮抗薬、リパーゼ阻害剤、インスリン、スルホニル尿素、ビグアニド、メグリチニド、チアゾリジンジオン、α−グルコシダーゼ阻害剤、ベータ細胞における ATP 依存性カリウムチャンネルに作用する活性化合物、CART 作動薬、NPY 作動薬、MC4 作動薬、オレキシン作動薬、H3 作動薬、TNF 作動薬、CRF 作動薬、CRF BP 拮抗薬、ウロコルチン作動薬、β3 作動薬、MSH（メラノサイト刺激性ホルモン）作動薬、CCK 作動薬、セロトニン再摂取阻害剤、セロトニン作動性及びノルアドレナリン作動性化合物の混合物、5HT 作動薬、ボンベシン作動薬、ガラニン拮抗薬、成長ホルモン、成長ホルモン放出化合物、TRH 作動薬、脱共役タンパク質２又は３モジュレーター、レプチン作動薬、DA 作動薬（ブロモクリプチン、ドプレキシン）、リパーゼ／アミラーゼ阻害剤、PPAR モジュレーター、RXR モジュレーター又は TR−β作動薬又はアンフェタミンを含む
請求項５に記載の医薬。  
【請求項７】
血糖を低下させるための医薬を製造するための請求項１〜３のいずれか１項に記載の化合物の使用。
【請求項８】
２型糖尿病を治療するための医薬を製造するための請求項１〜３のいずれか１項に記載の化合物の使用。
【請求項９】
脂質及び炭水化物代謝の障害を治療するための医薬を製造するための請求項１〜３のいずれか１項に記載の化合物の使用。
【請求項１０】
動脈硬化症状を治療するための医薬を製造するための請求項１〜３のいずれか１項に記載の化合物の使用。
【請求項１１】
インスリン耐性を治療するための医薬を製造するための請求項１〜３のいずれか１項に記載の化合物の使用。
【手続補正書】
【提出日】平成18年11月16日(2006.11.16)
【手続補正１】
【補正対象書類名】明細書
【補正対象項目名】００６３
【補正方法】変更
【補正の内容】
【００６３】
４−(ジエチルアミノ)−５−メチル−２−(４−ニトロフェニル)チエノ[２,３−ｄ]ピリミジン−６−カルボニトリル
２−(４−クロロフェニル)−４−(ジエチルアミノ)−５−メチルチエノ[２,３−ｄ]ピリミジン−６−カルボニトリル
４−(ジエチルアミノ)−２−(３,４−ジメトキシフェニル)−５−メチルチエノ[２,３−ｄ]ピリミジン−６−カルボニトリル
４−(ジメチルアミノ)−２−(４−メトキシフェニル)−５−メチルチエノ[２,３−ｄ]ピリミジン−６−カルボニトリル
２−(４−メトキシフェニル)−５−メチル−４−モルホリン−４−イルチエノ[２,３−ｄ]ピリミジン−６−カルボニトリル
２−(４−クロロフェニル)−５−メチル−４−モルホリン−４−イルチエノ[２,３−ｄ]ピリミジン−６−カルボニトリル
２−(４−メトキシフェニル)−５−メチル−４−[メチル(プロパ−２−イニル)アミノ]チエノ[２,３−ｄ]ピリミジン−６−カルボニトリル
４−[(２−ヒドロキシエチル)(メチル)アミノ]−２−(４−メトキシフェニル)−５−メチルチエノ[２,３−ｄ]ピリミジン−６−カルボニトリル
２−(３,４−ジメトキシフェニル)−４−[エチル(メチル)アミノ]−５−メチルチエノ[２,３−ｄ]ピリミジン−６−カルボニトリル
５−メチル−２−(４−メチルフェニル)−４−(４−メチルピペラジン−１−イル)チエノ[２,３−ｄ]ピリミジン−６−カルボニトリル
４−(ジエチルアミノ)−５−メチル−２−[４−(トリフルオロメチル)フェニル]チエノ[２,３−ｄ]ピリミジン−６−カルボニトリル
４−[アリル(メチル)アミノ]−２−(４−メトキシフェニル)−５−メチルチエノ[２,３−ｄ]ピリミジン−６−カルボニトリル
２−(３,４−ジメトキシフェニル)−４−[(２−ヒドロキシエチル)(メチル)アミノ]−５−メチルチエノ[２,３−ｄ]ピリミジン−６−カルボニトリル
２−(３,４−ジメトキシフェニル)−５−メチル−４−モルホリン−４−イルチエノ[２,３−ｄ]ピリミジン−６−カルボニトリル
５−メチル−２−(４−メチルフェニル)−４−モルホリン−４−イルチエノ[２,３−ｄ]ピリミジン−６−カルボニトリル
５−メチル−４−(４−メチルピペラジン−１−イル)−２−[４−(トリフルオロメチル)フェニル]チエノ[２,３−ｄ]ピリミジン−６−カルボニトリル
２−(１,３−ベンゾジオキソール−５−イル)−５−メチル−４−(４−メチルピペラジン−１−イル)チエノ[２,３−ｄ]ピリミジン−６−カルボニトリル
４−(ジエチルアミノ)−５−メチル−２−(４−メチルフェニル)チエノ[２,３−ｄ]ピリミジン−６−カルボニトリル
２−(１,３−ベンゾジオキソール−５−イル)−４−(ジエチルアミノ)−５−メチルチエノ[２,３−ｄ]ピリミジン−６−カルボニトリル
２−(１,３−ベンゾジオキソール−５−イル)−５−メチル−４−モルホリン−４−イルチエノ[２,３−ｄ]ピリミジン−６−カルボニトリル
４−[エチル(メチル)アミノ]−５−メチル−２−ピリジン−４−イルチエノ[２,３−ｄ]ピリミジン−６−カルボニトリル
４−[エチル(メチル)アミノ]−５−メチル−２−(３,４,５−トリメトキシフェニル)チエノ[２,３−ｄ]ピリミジン−６−カルボニトリル
２−ベンジル−５−メチル−４−(４−メチルピペラジン−１−イル)チエノ[２,３−ｄ]ピリミジン−６−カルボニトリル
【手続補正２】
【補正対象書類名】明細書
【補正対象項目名】００９０
【補正方法】変更
【補正の内容】
【００９０】
本発明はまた、有効成分として、少なくとも１個の式（Ｉ）で示される化合物またはその医薬上許容される塩を、医薬上許容される賦形剤、例えば担体または希釈剤と共に含む医薬組成物を提供する。有効成分は、処方物の性質および適用前にさらなる希釈が為されるか否かにより、重量にして０.００１％〜９９％、好ましくは重量にして０.０１％〜９０％の割合で組成物を構成し得る。好ましくは、組成物は、経口、局所、鼻、直腸、経皮または注射可能投与に適切な形態で製造される。
【手続補正３】
【補正対象書類名】明細書
【補正対象項目名】０１０４
【補正方法】変更
【補正の内容】
【０１０４】
製造例５
５−メチル−２−(４−メチルフェニル)−４−オキソ−３,４−ジヒドロチエノ［２,３−ｄ］ピリミジン−６−カルボニトリル
【化１０】
2006515604.tif 000001
製造例２記載の実験手順に従って、２−アミノ−５−シアノ−４−メチルチオフェン−３−カルボン酸エチルエステルおよび４−メチルベンゾニトリルから褐色固体（７２％）として得た。
1H-NMR (CDCl3, 200 MHz) δ 10.30 (bs, 1H), 7.97 (d, J=7.7 Hz, 2H), 7.29 (d, J= 7.7 Hz, 2H), 2.78 (s, 3H), 2.45 (s, 3H)。
【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
有効量の長時間作用型インスリンを含む、患者のIGTを処置するための医薬。
【請求項２】
長時間作用型インスリンはインスリングラルギンである請求項１記載の医薬。
【請求項３】
有効量は１日あたり２〜150 IUの範囲である請求項２記載の医薬。
【請求項４】
患者は以前の心筋梗塞、卒中、虚血性の変化が証明されているアンギナ、以前の冠動脈、頚動脈もしくは末梢動脈の血管新生、または心電図もしくは心エコー図による左心室の肥大からなる群より選択される１またはそれ以上の、以前の重篤な心血管系事象の既往症を有する請求項２記載の医薬。
【請求項５】
患者は以前の心筋梗塞、卒中、虚血性の変化が証明されているアンギナ、以前の冠動脈、頚動脈もしくは末梢動脈の血管新生、または心電図もしくは心エコー図による左心室の肥大からなる群より選択される１またはそれ以上の有意な心血管系危険因子を有する請求項２記載の医薬。
【請求項６】
有効量の長時間作用型インスリンを含む、患者のIFGを処置するための医薬。
【請求項７】
長時間作用型インスリンはインスリングラルギンである請求項６記載の医薬。
【請求項８】
有効量は１日あたり２〜150 IUの範囲である請求項７記載の医薬。
【請求項９】
患者は以前の心筋梗塞、卒中、虚血性の変化が証明されているアンギナ、以前の冠動脈、頚動脈もしくは末梢動脈の血管新生、または心電図もしくは心エコー図による左心室の肥大からなる群より選択される１またはそれ以上の、以前の重篤な心血管系事象の既往症を有する請求項７記載の医薬。
【請求項１０】
患者は以前の心筋梗塞、卒中、虚血性の変化が証明されているアンギナ、以前の冠動脈
、頚動脈もしくは末梢動脈の血管新生、または心電図もしくは心エコー図による左心室の肥大からなる群より選択される１またはそれ以上の有意な心血管系危険因子を有する請求項７記載の医薬。
【請求項１１】
有効量の長時間作用型インスリンを含む、患者の初期の２型糖尿病を処置するための医薬。
【請求項１２】
長時間作用型インスリンはインスリングラルギンである請求項１１記載の医薬。
【請求項１３】
有効量は１日あたり２〜150 IUの範囲である請求項１２記載の医薬。
【請求項１４】
患者は以前の心筋梗塞、卒中、虚血性の変化が証明されているアンギナ、以前の冠動脈、頚動脈もしくは末梢動脈の血管新生、または心電図もしくは心エコー図による左心室の肥大からなる群より選択される１またはそれ以上の、以前の重篤な心血管系事象の既往症を有する請求項１２記載の医薬。
【請求項１５】
患者は以前の心筋梗塞、卒中、虚血性の変化が証明されているアンギナ、以前の冠動脈、頚動脈もしくは末梢動脈の血管新生、または心電図もしくは心エコー図による左心室の肥大からなる群より選択される１またはそれ以上の有意な心血管系危険因子を有する請求項１２記載の医薬。
【請求項１６】
有効量の長時間作用型インスリンを含む、２型糖尿病患者における糖尿病性異常脂質血症を処置するための医薬。
【請求項１７】
長時間作用型インスリンはインスリングラルギンである請求項１６記載の医薬。
【請求項１８】
有効量は１日あたり２〜150 IUの範囲である請求項１７記載の医薬。
【請求項１９】
２型糖尿病患者は以前、食事および／または運動のみで処置されていた請求項１７記載の医薬。
【請求項２０】
２型糖尿病患者は薬物にナイーブである請求項１７記載の医薬。
【請求項２１】
有効量の長時間作用型インスリンを含む、IFG、IGT、初期２型糖尿病または２型糖尿病からなる群より選択される疾患または状態と診断された患者におけるアテローム性動脈硬化症を処置するための医薬。
【請求項２２】
長時間作用型インスリンはインスリングラルギンである請求項２１記載の医薬。
【請求項２３】
有効量は１日あたり２〜150 IUの範囲である請求項２２記載の医薬。
【請求項２４】
有効量の長時間作用型インスリンを含む、IFG、IGT、初期２型糖尿病または２型糖尿病からなる群より選択される疾患または状態と診断された患者における内皮機能を改善するための医薬。
【請求項２５】
長時間作用型インスリンはインスリングラルギンである請求項２４記載の医薬。
【請求項２６】
有効量は１日あたり２〜150 IUの範囲である請求項２５記載の医薬。
【請求項２７】
有効量の長時間作用型インスリンを含む、IFG、IGT、初期２型糖尿病または２型糖尿病
からなる群より選択される疾患または状態と診断された患者における左心室質量の増大を防止するための医薬。
【請求項２８】
長時間作用型インスリンはインスリングラルギンである請求項２７記載の医薬。
【請求項２９】
有効量は１日あたり２〜150 IUの範囲である請求項２８記載の医薬。
【請求項３０】
有効量の長時間作用型インスリンを含む、IFG、IGT、初期２型糖尿病または２型糖尿病からなる群より選択される疾患または状態と診断された患者における左心室の拡張または収縮機能を改善するための医薬。
【請求項３１】
長時間作用型インスリンはインスリングラルギンである請求項３０記載の医薬。
【請求項３２】
有効量は１日あたり２〜150 IUの範囲である請求項３１記載の医薬。
【請求項３３】
有効量の長時間作用型インスリンを含む、IFG、IGT、初期２型糖尿病または２型糖尿病からなる群より選択される疾患または状態と診断された患者における血中グルコースレベルを低下させるための医薬。
【請求項３４】
長時間作用型インスリンはインスリングラルギンである請求項３３記載の医薬。
【請求項３５】
有効量は１日あたり２〜150 IUの範囲である請求項３４記載の医薬。
【請求項３６】
有効量の長時間作用型インスリンを含む、IFG、IGT、初期２型糖尿病または２型糖尿病からなる群より選択される疾患または状態と診断された患者における頚動脈の内厚の増大を防止するための医薬。
【請求項３７】
長時間作用型インスリンはインスリングラルギンである請求項３６記載の医薬。
【請求項３８】
有効量は１日あたり２〜150 IUの範囲である請求項３７記載の医薬。
【手続補正書】
【提出日】平成19年3月19日(2007.3.19)
【手続補正１】
【補正対象書類名】特許請求の範囲
【補正対象項目名】請求項２２
【補正方法】変更
【補正の内容】
【請求項２２】
化合物が：
【化１０】
2006515626.tif 000001
であるか、またはその薬学的に許容されうる塩である請求項１または１２記載の使用。
【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
マトリックス材料として３２０℃を超える融解開始温度を有する液晶ポリエステル（ＬＣＰ）を含み、少なくとも２種の減摩性充填剤を含有する組成物であって、前記組成物が少なくとも３２０℃の融解開始温度、および少なくとも１．７５ＭＰａ−ｍ／ｓ（５０，０００ｐｓｉ−ｆｐｍ）の耐摩耗性を有することを特徴とする組成物。
【請求項２】
請求項１に記載の組成物で作製された物品。
【手続補正２】
【補正対象書類名】明細書
【補正対象項目名】００４３
【補正方法】変更
【補正の内容】
【００４３】
したがって、少なくとも１．７５ＭＰａ−ｍ／ｓ（５０，０００ｐｓｉ−ｆｐｍ）のＰＶで高耐摩耗性をもたらして、先に記述した目的と利点を完全に満たす高温液晶ポリエステル組成物が、本発明に従って提供されたことは明らかである。本発明をその特定の実施様態に関して記述してきたが、多数の代替形態、修正形態および変形が当業者に自明であろうことは明白である。したがって、添付の特許請求の範囲の精神および幅広い範囲に属するそうした代替形態、修正形態および変形のすべてを含むことを意図している。
本発明は以下の実施の態様を含むものである。
１．マトリックス材料として３２０℃を超える融解開始温度を有する液晶ポリエステル（ＬＣＰ）を含み、少なくとも２種の減摩性充填剤を含有する組成物であって、前記組成物が少なくとも３２０℃の融解開始温度、および少なくとも１．７５ＭＰａ−ｍ／ｓ（５０，０００ｐｓｉ−ｆｐｍ）の耐摩耗性を有することを特徴とする組成物。
２．前記液晶ポリエステル材料が４５〜９５重量％を構成することを特徴とする前記１に記載の組成物。
３．前記液晶ポリエステル材料が、４−ヒドロキシ安息香酸、４，４’−ビフェノール、テレフタル酸、並びに、２，６−ナフタレンジカルボン酸およびイソフタル酸のうち１つまたはその両方から誘導される繰り返し単位を有することを特徴とする前記１に記載の組成物。
４．前記充填剤が、グラファイト、炭素繊維、フルオロポリマー、二硫化モリブデン、クレー、雲母、タルク、酸化亜鉛、炭化タングクステン、シリコーン、カーボンブラック、粒状ポリイミド、窒化ホウ素、アラミド、チタン酸カリウム、チタン酸バリウム、ポリテトラフルオロエチレン（ＰＴＦＥ）、およびそれらの組合せよりなる群から選択されることを特徴とする前記１に記載の組成物。
５．前記充填剤が、１〜２０重量％の第１充填剤、および１〜３０重量％の第２充填剤を含むことを特徴とする前記１に記載の組成物。
６．前記第１充填剤がグラファイト材料であって、前記第２充填剤が炭素繊維材料であることを特徴とする前記３に記載の組成物。
７．第３充填剤をさらに含み、前記第３充填剤が１〜２０重量％であることを特徴とする前記３または４に記載の組成物。
８．前記第３充填剤が雲母材料であることを特徴とする前記５に記載の組成物。
９．第４充填剤をさらに含み、前記第４充填剤が０〜１５重量％であることを特徴とする前記５または６に記載の組成物。
１０．前記第４充填剤が粒状ポリイミドであることを特徴とする前記７に記載の組成物。
１１．前記液晶ポリエステル材料が約６５重量％であり、４種の充填剤を含有し、前記充填剤が（Ａ）約１０重量％のグラファイト、（Ｂ）約１０重量％の炭素繊維、（Ｃ）約５重量％の雲母、および（Ｄ）約１０重量％の粒状ポリイミドを含むことを特徴とする前記１に記載の組成物。
１２．前記１から１１のいずれか一つに記載の組成物で作製された物品。
【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
ｐＨの変化に応答して かつ／または温度の変化に応答して、その形状および体積が変化するヒドロゲルであって、１０から７５重量％のデキストラン−マレイン酸モノエステル、および９０から２５重量％のＮ−イソプロピルアクリルアミドを含み、デキストラン−マレイン酸モノエステルおよびＮ−イソプロピルアクリルアミドの総量が１００％である組成物中で、デキストラン−マレイン酸モノエステルおよびＮ−イソプロピルアクリルアミドの光架橋によって形成されるヒドロゲル。
【請求項２】
２０から６５重量％のデキストラン−マレイン酸モノエステルおよび８０から３５重量％のＮ−イソプロピルアクリルアミドを含む組成物中で、デキストラン−マレイン酸モノエステルおよびＮ−イソプロピルアクリルアミドを光架橋することによって形成される請求項１に記載の方法。
【請求項３】
デキストラン−マレイン酸モノエステルが、０.８５から０.９５の範囲の平均置換度、および６５,０００から７５,０００の重量平均分子量(デキストランに基づく)を有する、請求項２に記載のヒドロゲル。
【請求項４】
体温より低いかそれに近い低臨界溶液温度(lower critical solution temperature)を有する、請求項３に記載のヒドロゲル。
【請求項５】
デキストラン−マレイン酸モノエステルおよびＮ−イソプロピルアクリルアミドの総量を１００％として、１０から７５重量％のデキストラン−マレイン酸モノエステル、および９０から２５重量％のＮ−イソプロピルアクリルアミドの溶液を含む、ヒドロゲル形成系。
【手続補正２】
【補正対象書類名】明細書
【補正対象項目名】００１０
【補正方法】変更
【補正の内容】
【００１０】
“生分解ヒドロゲル”という用語は、ここでは、水および／または天然に見出される酵素によって分解されるポリマーの架橋によって形成されるヒドロゲルを意味する。デキストラン−マレイン酸モノエステル・ユニットは生分解性であるが、Ｎ−イソプロピルアクリルアミド・ユニットはそうではないために、“部分的に生分解可能なヒドロゲル”という用語が、ここで用いられる。
【手続補正３】
【補正対象書類名】明細書
【補正対象項目名】００２１
【補正方法】変更
【補正の内容】
【００２１】
我々は、ここで、デキストラン−マレイン酸モノエステルおよびＮ−イソプロピルアクリルアミド・ヒドロゲル前駆体からの、ヒドロゲルの製造について述べる。この製造は、次のように行われ得る：ヒドロゲル前駆体は、適切な重量比で蒸留水に溶解し、上記の濃度、すなわち１０〜３０％(w/v)濃度の溶液とし、次に、例えばプロトン性溶媒(例えばＮ−メチルピロリドン、テトラヒドロフラン、ジメチルホルムアミド、またはジメチルスルホキシド)中の、光開始剤(例えば２,２−ジメトキシ ２−フェニル アセトフェノン、すなわちＤＭＰＡＰ)(例えばヒドロゲル前駆体の２〜１０％(w/w)の量で)の溶液を、この溶液に加え、例えば室温で、５から３０時間ＵＶを照射することによって、光架橋を行う。次に未反応の化学物質を、得られたヒドロゲルから好ましくは浸出して除く。ヒドロゲルの乾燥を、好ましくは２時間熱水(５０℃)に浸し、収縮させ、そして、真空オーブンで、部分的に収縮したヒドロゲルを６０℃で、５から１５時間、例えば終夜乾燥させることによって行う。
【手続補正４】
【補正対象書類名】明細書
【補正対象項目名】００２７
【補正方法】変更
【補正の内容】
【００２７】
下記の表１に示した異なる重量比のデキストラン−マレイン酸・ヒドロゲル前駆体(Ｄｅｘ−ＭＡ)およびＮ−イソプロピルアクリルアミド・ヒドロゲル前駆体(ＮＩＰＡＡｍ)を、蒸留水に溶解し、２０％(w/v)の濃度の溶液を製造した。光開始剤、すなわち２,２−ジメトキシ ２−フェニル アセトフェノン(ヒドロゲル前駆体に対して５％(w/w))を、先ず、Ｎ−メチルピロリドン(ＮＭＰ)に溶解させ、次にヒドロゲル前駆体の溶液と混合した。得られた均一な透明な混合物を、ポータブル長波長ＵＶランプ (３６５nm, ８Ｗ)を用いて、室温で、２２時間照射した。得られたヒドロゲルを、先ず、テトラヒドロフラン(ＴＨＦ)に、室温で１２時間浸漬した。この間、未反応の化学物質を浸出除去するために、ＴＨＦを、定期的に新鮮なＴＨＦと交換した。次に、ヒドロゲルを、蒸留水で、少なくとも４８時間さらに精製し、蒸留水は、数時間毎に交換し、精製したヒドロゲルを特性決定するために平衡に到達させた。前駆体の添加組成物および他の化学物質は、下記の表１に挙げられている。ここで、サンプルは、全てＤＭＮ(Ｄ＝デキストラン、Ｍ＝マレイン酸無水物、およびＮ＝ＮＩＰＡＡｍ)と表記され、そしてサンプル ＤＭＮ１、ＤＭＮ２、ＤＭＮ３、ＤＭＮ４、およびＤＭＮ５は、それぞれ実施例I、II、III、IV、およびVを構成し、ＮＩＰＡＡｍはＮ−イソプロピルアクリルアミド・ヒドロゲル前駆体であり、デキストラン−ＭＡはデキストラン−マレイン酸モノエステル・ヒドロゲル前駆体であり、そしてＮＭＰはＮ−メチルピロリドンであり、そして転換率は、モノマーから合成されたゲルの重量パーセントである。
【手続補正５】
【補正対象書類名】明細書
【補正対象項目名】００３１
【補正方法】変更
【補正の内容】
【００３１】
ヒドロゲルサンプルの内部形態を次のように決定した。室温で蒸留水中で最大膨張率に達成したサンプルを、液体窒素で急速凍結し、バーチス凍結乾燥機(Gardiner, NY) で、真空下で、−４２℃で、全ての水が昇華するまで３日間凍結乾燥した。凍結乾燥したサンプルを、それぞれ液体Ｎ２温度下で注意深く破砕し、得られた破砕片の内部形態を走査電子顕微鏡(Hitachi S4500SEM, Mountain View, CA)で検討した。ＳＥＭ観察に先立って、試料をアルミニウム台に固定し、金で被覆した。それぞれの場合において、蜂の巣構造が観察されたが、孔の構造は、ＰＮＩＰＡＡｍにおける不揃いの円形で、うねった薄い壁を有する緩く浅い孔から、ハイブリッド・ヒドロゲルにおける鋭い明確な角度と４から７員環の硬い壁の孔を有する非常に明確に区画された蜂の巣構造に変化していた。平均孔サイズおよび単位面積当たりの孔の数を下記の表２に示す。
【手続補正６】
【補正対象書類名】明細書
【補正対象項目名】００３３
【補正方法】変更
【補正の内容】
【００３３】
室温での最大膨張率を、サンプルを蒸留水に４８時間浸漬し、重量測定によって決定した。それぞれのサンプルについて３回の測定を行った。ここでは、“膨張率”という用語は、膨潤前のゲルの乾燥重量当たりの膨潤したゲルにおける水の重量を意味する。室温で得られる最大膨潤率を、図２に示す。図２に示したように、ヒドロゲルの最大膨潤率は、Ｄｅｘ−ＭＡ含量の増加に伴って減少した。
【手続補正書】
【提出日】平成18年12月27日(2006.12.27)
【手続補正１】
【補正対象書類名】特許請求の範囲
【補正対象項目名】請求項１１
【補正方法】変更
【補正の内容】
【請求項１１】
前記巻き取り機（１）が、前記位置決め及び誘導装置（８）の一次ストローク動作と前記スピンドル（６、７）の少なくとも１つの二次ストローク動作の間で速度及び／又は位置の調節を確実にすることができる制御及び命令装置を含むことを特徴とする、請求項１〜１０のいずれか１項に記載の巻き取り機（１）。
【手続補正書】
【提出日】平成19年1月16日(2007.1.16)
【手続補正１】
【補正対象書類名】特許請求の範囲
【補正対象項目名】全文
【補正方法】変更
【補正の内容】
【特許請求の範囲】
【請求項１】
以下の状態：
-単球/マクロファージの増殖；
-平滑筋細胞の増殖；
-スカベンジャー受容体の発現；及び/又は
-酸化型低密度リポタンパク質(ＬＤＬ）の取り込み
のうちの１以上の発生を抑制するための医薬組成物であって、１以上の電子伝達剤の１以上のホスフェート誘導体を含む、前記医薬組成物。
【請求項２】
前記電子伝達剤が、トコール及びそれらの混合物からなる群から選ばれる、請求項１に記載の医薬組成物。
【請求項３】
前記電子伝達剤が、α-トコトリエノール、β-トコトリエノール、δ-トコトリエノール、γ-トコトリエノール、α-トコフェロール、β-トコフェロール、δ-トコフェロール、γ-トコフェロール、及びそれらの混合物からなる群から選ばれる、請求項２に記載の医薬組成物。
【請求項４】
前記電子伝達剤が、α-トコフェロールである、請求項３に記載の医薬組成物。
【請求項５】
前記１以上の電子伝達剤の１以上のホスフェート誘導体が、モノ-トコフェリル・ホスフェート、ジ-トコフェリル・ホスフェート、及びそれらの混合物からなる群から選ばれる、請求項４に記載の医薬組成物。
【請求項６】
前記１以上の電子伝達剤の１以上のホスフェート誘導体が、モノ-トコフェリル・ホスフェートとジ-トコフェリル・ホスフェートの混合物である、請求項５に記載の医薬組成物。
【請求項７】
１以上の他の医薬化合物をさらに含む、請求項１に記載の医薬組成物。
【請求項８】
前記１以上の他の医薬化合物が、スタチン、スタチンのホスフェート誘導体、及びそれらの混合物からなる群から選ばれる、請求項７に記載の医薬組成物。
【請求項９】
有効量が、α-トコフェロールの平均血漿濃度の０.１〜１０倍、又はα-トコフェロールの平均血漿濃度の２〜３倍の量である、請求項１に記載の医薬組成物。
【請求項１０】
前記電子伝達剤の１以上のホスフェート誘導体が、電子伝達剤のホスフェート誘導体の１以上の複合体の形態である、請求項１に記載の医薬組成物。
【請求項１１】
前記医薬がプロドラッグである、請求項１に記載の医薬組成物。
【請求項１２】
前記スカベンジャー受容体の発現が、ＣＤ３６受容体の発現である、請求項１に記載の医薬組成物。
【請求項１３】
下記の状態：
-単球/マクロファージの増殖；
-平滑筋細胞の増殖；
-スカベンジャー受容体の発現；及び/又は
-酸化型低密度リポタンパク質(ＬＤＬ)の取り込み
のうちの１以上の発生を抑制することが、炎症、アテローム性動脈硬化症、糖尿病、アルツハイマー病、及び脈管系におけるプラーク形成からなる群から選ばれる症状を軽減、治療、及び/又は予防することを目的とする、請求項１に記載の医薬組成物。
【手続補正２】
【補正対象書類名】明細書
【補正対象項目名】００３７
【補正方法】変更
【補正の内容】
【００３７】
より好ましくは、電子伝達剤はトコール及びそれらの混合体からなる群から選ばれる。トコールは、６：ヒドロキシ２：メチルクロマン(下記構造を参照のこと)であって、ここでＲ1、Ｒ2、及びＲ3は水素又はメチル基であってよく、つまりα-５：７：８トリ-メチル；β-５：８ジ-メチル；γ-７：８ジ-メチル；及びδ-８メチル誘導体であってもよい化合物を指す。トコフェロールでは、Ｒ4は４：８：１２トリ-メチル・トリデカンにより置換され、そして２、４、及び８位(＊の位置を参照のこと）は、Ｒ又はＳ配置の立体異性体又はラセミ体であってもよい。トコトリエノールでは、Ｒ4は、４：８：１２トリ-メチルトリデカ-３：７：１１トリエンにより置換され、そして２位は、Ｒ又はＳの立体異性体であるか又はラセミ体であってよい。最も好ましくは、電子伝達剤は、α-トコフェロールである。
【化１】
2006515872.tif 000001
【手続補正書】
【提出日】平成19年1月5日(2007.1.5)
【手続補正１】
【補正対象書類名】特許請求の範囲
【補正対象項目名】全文
【補正方法】変更
【補正の内容】
【特許請求の範囲】
【請求項１】
ガンを処置するための組成物であって、該組成物は、治療上有効な用量の２−デオキシ−Ｄ−グルコース（２−ＤＧ）を含み、該組成物は、１週に１日よりも多い頻度で投与することに適している、組成物。
【請求項２】
前記組成物が少なくとも３日間連続した毎日の投与に適している、請求項１に記載の組成物。
【請求項３】
治療上有効な用量の２−ＤＧを別の抗癌剤と組み合わせて含む、ガン治療のための組成物。
【請求項４】
ガンを処置するための組成物であって、該組成物は、治療上有効な用量の２−デオキシ−Ｄ−グルコース（２−ＤＧ）を含み、少なくとも５日間連続しての、患者の体重１ｋｇあたり約２５ｍｇ〜約１５０ｍｇの範囲での毎日の経口投与に適している、組成物。
【請求項５】
前記組成物が少なくとも２週間にわたる毎日の投与に適している、請求項４に記載の組成物。
【請求項６】
前記組成物が少なくとも１週間にわたる毎日の投与に適している、請求項４に記載の組成物。
【請求項７】
前記組成物が少なくとも１０日間連続での毎日の投与に適している、請求項４に記載の組成物。
【請求項８】
前記１日用量が、患者の体重１ｋｇあたり約１ｍｇの２−ＤＧから約１ｇ／ｋｇという範囲である、請求項４に記載の組成物。
【請求項９】
前記１日用量が、約２５ｍｇ／ｋｇ〜約１５０ｍｇ／ｋｇという範囲である、請求項４に記載の組成物。
【請求項１０】
ヒト癌患者の治療のための組成物であって、治療上有効な用量の２−ＤＧを別の抗癌剤と組み合わせて含み、該組成物は、患者の体重１ｋｇあたり約２５ｍｇ／ｋｇ〜約１５０ｍｇ／ｋｇという２−ＤＧの範囲の経口投与に適している、組成物。
【請求項１１】
前記ガンが多剤耐性のガンである、請求項１０に記載の組成物。
【請求項１２】
前記抗癌剤は、２−ＤＧの非存在下で前記ガンが耐性である薬剤である、請求項１１に記載の組成物。
【請求項１３】
前記抗癌剤が、２−ＤＧと組み合わせて投与されるのではない場合の投与の推奨される有効用量よりも少ない用量での投与に適している、請求項１０に記載の組成物。
【請求項１４】
前記ガンが非小細胞肺癌、頭頸部癌、結腸直腸癌および乳癌からなる群より選択されるガンである、請求項１０に記載の組成物。
【請求項１５】
前記組成物が少なくとも１週間にわたる毎日の投与に適している、請求項１０に記載の組成物。
【請求項１６】
前記抗癌剤が、ドセタキセル、パクリタキセル、シスプラチン、およびカルボプラチンからなる群より選択される、請求項１０に記載の組成物。
【請求項１７】
固形腫瘍を有するヒト患者の癌治療のための組成物であって、該組成物は、治療上有効な用量の２−デオキシ−Ｄ−グルコース（２−ＤＧ）を含み、該組成物は、少なくとも連続５日間での、患者の体重１ｋｇあたり約２５ｍｇ／ｋｇ〜約１５０ｍｇ／ｋｇという２−ＤＧの範囲の経口投与に適している、組成物。
【請求項１８】
ヒト癌患者の癌治療のための組成物であって、（ｉ）治療上有効な用量の２−ＤＧおよび（ｉｉ）抗癌剤とを含み、該治療上有効な用量の２−ＤＧは、少なくとも５日間連続での、患者の体重１ｋｇあたり約２５ｍｇ／ｋｇ〜約１５０ｍｇ／ｋｇという２−ＤＧの範囲の経口投与のために処方されており、該抗癌剤は、ドセタキセル、パクリタキセル、シスプラチンおよびカルボプラチンからなる群より選択される、組成物。
【請求項１９】
前記患者が固形腫瘍の癌を有する、請求項１８に記載の組成物。
【請求項２０】
前記患者が固形腫瘍の癌を有する、請求項１４に記載の組成物。
【請求項２１】
２−ＤＧおよび薬学的に受容可能なキャリアを含む、２−ＤＧの薬学的に受容可能な処方物。
【請求項２２】
前記２−ＤＧが固体である、請求項２１に記載の処方物。
【請求項２３】
前記２−ＤＧが小袋にパッケージングされる、請求項２２に記載の処方物。
【請求項２４】
錠剤、カプセルまたはカプレットである、請求項２２に記載の処方物。
【請求項２５】
前記錠剤、カプセルまたは丸剤が少なくとも２５０ｍｇであるが１０ｇ未満の２−ＤＧを含む、請求項２４に記載の処方物。
【請求項２６】
前記２−ＤＧが携行可能な液体に溶解または懸濁される、請求項２１に記載の処方物。
【請求項２７】
前記液体がグルコースを含まない飲料である、請求項２６に記載の処方物。
【手続補正書】
【提出日】平成19年1月19日(2007.1.19)
【手続補正１】
【補正対象書類名】特許請求の範囲
【補正対象項目名】請求項７
【補正方法】変更
【補正の内容】
【請求項７】
β−アミロイドペプチドβ−A4形成の阻害剤が治療効果をもたらす疾患の治療のための、請求項５に記載の医薬組成物。
【手続補正２】
【補正対象書類名】特許請求の範囲
【補正対象項目名】請求項８
【補正方法】変更
【補正の内容】
【請求項８】
老人性痴呆症、アルツハイマー病、ダウン症候群、パーキンソン病、アミロイド血管症、脳血管障害、フロントテンポラーレ痴呆症およびピック病、外傷後痴呆症、神経炎症性処置に伴う疾患、ハンチントン病および／またはコルサコフ症候群の治療のための、請求項５に記載の医薬組成物。
【手続補正３】
【補正対象書類名】明細書
【補正対象項目名】００４５
【補正方法】変更
【補正の内容】
【００４５】
式（VIII）の化合物は、スキーム２に従って製造され得る。
スキーム２
【化６】
2006515888.tif 000001
【手続補正４】
【補正対象書類名】明細書
【補正対象項目名】００８９
【補正方法】変更
【補正の内容】
【００８９】
この表に記載の化合物は、上記の方法に従って製造された。
表
【化７】
2006515888.tif 000002
【手続補正５】
【補正対象書類名】明細書
【補正対象項目名】０１０５
【補正方法】変更
【補正の内容】
【０１０５】
96ウェルの培養皿の接種を、培養媒体（150 μl）中、1ウェルあたり1×105細胞の割合で行う。血清の最小パーセント（最終1.3％）の存在が、5％CO2の存在下に、37℃で2〜3時間培養した後、プラスチックへの細胞の付着を許容する。生成物(15 μl)を、DMSO（10 μM）（最終1％）で試験し、5％CO2および湿度100％の存在下に、37℃で24〜25時間培養する。
【手続補正書】
【提出日】平成19年1月16日(2007.1.16)
【手続補正１】
【補正対象書類名】特許請求の範囲
【補正対象項目名】全文
【補正方法】変更
【補正の内容】
【特許請求の範囲】
【請求項１】
タイヤトレッドを形成するのに用いられ得る、架橋可能又は架橋されたゴム組成物であって、少なくとも一種の共役ジエンから生じる直鎖又は分枝ジエンエラストマー及び補強充填剤を含み、前記エラストマーが、15%以上の質量含有率の環状ビニル単位を含み、且つ30,000〜350,000g/molの範囲の数平均分子量を有することを特徴とする、組成物。
【請求項２】
請求項１に定義された架橋可能又は架橋されたゴム組成物の調製方法であって、前記エラストマーが、以下の工程を行うことによって得られる、方法。
a）15%以上の質量含有率の環状ビニル単位を含み、且つ10,000〜60,000g/molの数平均分子量を有する、少なくとも一種の共役ジエンから生じる直鎖ジエンエラストマーを、不活性脂肪族又は脂環式炭化水素溶媒中、少なくとも一種の共役ジエンモノマーを含む一種以上のモノマーと、有機リチウム開始剤といくつかのヘテロ原子を含む極性剤とを含む触媒系との反応による、前記モノマーのバッチ陰イオン重合により調製し、ここで（極性剤:開始剤）モル比は8よりも大きく、次に
b）得られた直鎖エラストマーを、分枝ジエンエラストマーを得るために、トリス(2,4-ジ-tert-ブチルフェニル)ホスフィットなどのスターリング剤によって、任意に分枝する。
【請求項３】
請求項１に定義された架橋可能又は架橋されたゴム組成物の調製方法であって、前記エラストマーが、以下の工程を行うことによって得られる、方法。
a）15%以上の質量含有率の環状ビニル単位を含み、10,000〜100,000g/molの数平均分子量を有する、少なくとも一種の共役ジエンから生じる直鎖ジエンエラストマーを、不活性脂肪族又は脂環式炭化水素溶媒中、少なくとも一種の共役ジエンモノマーを含む一種以上のモノマーと、有機リチウム開始剤、いくつかのヘテロ原子を含む極性剤、及び脂肪族又は脂環式アルコールのアルカリ金属塩を含む触媒系であって、前記系が以下の関係、
(ｉ)（極性剤:開始剤）モル比が、3以上である、
を満たすものとの反応による、前記モノマーの連続的陰イオン重合によって調製し、次に
b）得られた直鎖エラストマーを、分枝ジエンエラストマーを得るために、トリス(2,4-ジ-tert-ブチルフェニル)ホスフィットなどのスターリング剤によって、任意に分枝する。
【請求項４】
請求項１に定義された架橋可能又は架橋されたゴム組成物の調製方法であって、前記エラストマーが、以下の工程を行うことによって得られる、方法。
a）15%以上の質量含有率の環状ビニル単位を含み、10,000〜300,000g/molの数平均分子量を有する、少なくとも一種の共役ジエンから生じる直鎖ジエンエラストマーを、不活性脂肪族又は脂環式炭化水素溶媒中、少なくとも一種の共役ジエンモノマーを含む一種以上のモノマーと、有機リチウム開始剤、いくつかのヘテロ原子を含む極性剤、及び脂肪族又は脂環式アルコールのアルカリ金属塩を含む触媒系との、前記系が以下の3つの条件、
(ｉ)（極性剤:開始剤）モル比が、3以上である、
(ii)（塩:開始剤）モル比が、0.01〜2の範囲内にある、
(iii)（塩:極性剤）モル比が、0.001〜5の範囲内にある、
を同時に満たすような手法の反応による、前記モノマーの連続的陰イオン重合によって調製し、次に
b）得られた直鎖エラストマーを、分枝ジエンエラストマーを得るために、トリス(2,4-ジ-tert-ブチルフェニル)ホスフィットなどのスターリング剤によって、任意に分枝する。
【請求項５】
請求項１記載の架橋可能又は架橋されたゴム組成物を含む、タイヤトレッド。
【請求項６】
前記ゴム組成物からなる、請求項５記載のタイヤトレッド。
【請求項７】
請求項５又は６に記載のトレッドを含む、タイヤ。
【手続補正書】
【提出日】平成19年1月5日(2007.1.5)
【手続補正１】
【補正対象書類名】特許請求の範囲
【補正対象項目名】全文
【補正方法】変更
【補正の内容】
【特許請求の範囲】
【請求項１】
コポリマー１、コポリマー１関連ペプチド、及びコポリマー１関連ポリペプチドからなる群から選択される活性薬剤を含む、哺乳動物の治療的免疫のための点眼ワクチン。
【請求項２】
中枢神経系（ＣＮＳ）又は末梢神経系（ＰＮＳ）における損傷、疾患、障害、又は状態によって引き起こされる神経変性を治療するため、ＣＮＳにおいて一次損傷に続き得る二次神経変性を予防又は阻害するため、損傷又は疾患、障害又は状態の後でＣＮＳ又はＰＮＳにおいて神経再生を促進するため、或いはグルタミン酸毒性からＣＮＳ及びＰＮＳの細胞を保護するための、請求項１に記載の点眼ワクチン。
【請求項３】
前記損傷が脊髄損傷、鈍的外傷、穿通性外傷、脳の直撃若しくは対側衝撃、出血性脳卒中、又は虚血性脳卒中である、請求項２に記載の点眼ワクチン。
【請求項４】
前記疾患、障害、又は状態が、アルツハイマー病を含む老人性痴呆症、パーキンソン病を含むパーキンソン症候群、顔面神経麻痺（ベル麻痺）、ハンティングトン舞踏病、筋萎縮性側索硬化症を含む運動ニューロン疾患、クロイツフェルト−ヤーコブ病を含むプリオン病、アルパーズ病、バッテン病、コケーン症候群、レヴィー小体病、てんかん重積持続状態、手根管症候群、椎間板ヘルニア、ビタミンＢ欠乏などのビタミン欠乏、てんかんなどの発作障害、精神分裂病及び不安などの精神病性障害、記憶喪失、痛覚過敏、酸化的ストレス、アヘン耐性及びアヘン依存性、自己免疫疾患、アミロイド多発性神経障害、糖尿病性神経障害、尿毒症性神経障害、ポルフィリン症性多発性神経障害などの疾患に関連する末梢性神経障害、低血糖症、シェーグレン−ラルソン症候群、急性感覚性神経障害、慢性運動失調性神経障害、胆汁性肝硬変、原発性アミロイドーシス、閉塞性肺疾患、先端巨大症、吸収不良症候群、真性赤血球増加症、ＩｇＡガンマパシー及びＩｇＧガンマパシー、ニトロフラントイン、メトロニダゾール、イソニアジドなどの種々の薬物及びアルコール又は有機リン酸などの毒素の合併症、シャルコー−マリー−ツース病、毛細血管拡張性運動失調、フリートライヒ運動失調、副腎脊髄神経障害、巨大軸索神経障害、レフサム病、ファブリー病、リポタンパク質症、非動脈炎性眼神経障害、年齢関連黄斑変性、網膜変性などの網膜障害、又は緑内障などの異常上昇した眼圧と関連する疾患である、請求項２に記載の点眼ワクチン。
【請求項５】
前記自己免疫疾患が多発性硬化症である、請求項４に記載の点眼ワクチン。
【請求項６】
前記ワクチンがアジュバントを伴わない活性薬剤を含む、請求項１に記載の点眼ワクチン。
【請求項７】
前記ワクチンが可溶性アジュバントを伴う活性薬剤を含む、請求項１に記載の点眼ワクチン。
【請求項８】
前記可溶性アジュバントがサイトカインである、請求項７に記載の点眼ワクチン。
【請求項９】
前記サイトカインがＩＬ−２、ＩＬ−１２、ＩＦＮ−γ、又はＧＭ−ＣＳＦである、請求項８に記載の点眼ワクチン。
【請求項１０】
前記活性薬剤がコポリマー１である、請求項１から９までのいずれか一項に記載の点眼ワクチン。
【請求項１１】
前記活性薬剤がコポリマー１関連ペプチド又はコポリマー１関連ポリペプチドである、請求項１から９までのいずれか一項に記載の点眼ワクチン。
【請求項１２】
多発性硬化症患者に毎日又は隔日の頻度で少なくとも１回投与するための、請求項１に記載の点眼ワクチン。
【請求項１３】
７日に少なくとも１回、毎月少なくとも１回まで、２カ月から３カ月に少なくとも１回までの頻度で、非多発性硬化症患者へ定期的に投与するための、請求項１に記載の点眼ワクチン。
【請求項１４】
緑内障患者への投与のための、請求項１３に記載の点眼ワクチン。
【手続補正書】
【提出日】平成19年1月16日(2007.1.16)
【手続補正１】
【補正対象書類名】特許請求の範囲
【補正対象項目名】全文
【補正方法】変更
【補正の内容】
【特許請求の範囲】
【請求項１】
ノズルの挿入及び／又は除去装置用の注入ノズル（１）であって、該ノズルは、注入路（６）を規定する管状部（３）と、その上端で注入路（６）を規定する孔を有するプレート（２）とを備え、前記プレート（２）は、注入路の上流の部材（９）と接触する上面と、ノズルの管状部（３）の上部と界面を形成する下面とを有し、かつ、注入路（６）の両側に配置された２つの平坦な支承面（５）を備えており、前記２つの支承面（５）が、注入路の軸（７）と２０〜８０°の角度βをなすことを特徴とするノズルの挿入及び／又は除去装置用の注入ノズル。
【請求項２】
前記２つの支承面（５）が、ノズルの交換方向に平行であることを特徴とする請求項１に記載の注入ノズル。
【請求項３】
前記２つの支承面（５）が、注入路の軸（７）と３０〜６０°の角度βをなすことを特徴とする請求項１又は２に記載の注入ノズル。
【請求項４】
前記２つの支承面（５）が、注入路の軸（７）と４５°の角度βをなすことを特徴とする請求項３に記載の注入ノズル。
【請求項５】
プレート（２）が、ノズルプレート（２）の２つの支承面（５）に垂直で、且つ、注入路の軸（７）を含む面に関して非対称であることを特徴とする請求項１又は２に記載の注入ノズル。
【請求項６】
鋳造位置において請求項１で規定した注入ノズル（１）の両方の平坦な支承面（５）に作用することのできる押し付け装置（８）と、注入路の軸（７）と２０〜８０°の角度βをなす支承面を有するガイド装置とを備えたことを特徴とする請求項１で規定した注入ノズル（１）の挿入及び／又は除去装置。
【請求項７】
スラスト力（４）が、直接、支承面（５）にバネ（１１）により加えられる押し付け装置（８）を有することを特徴とする請求項６に記載の挿入及び／又は除去装置。
【請求項８】
請求項１〜５のいずれか１項に記載の注入ノズル（１）と、請求項６または７に記載の装置とを有することを特徴とする管の交換装置を備えた鋳造設備。
【手続補正２】
【補正対象書類名】明細書
【補正対象項目名】００１９
【補正方法】変更
【補正の内容】
【００１９】
特に、本発明は、ノズルの挿入及び／又は除去装置用の注入ノズルに関し、そのノズルは、注入路を規定する管状部と、その上端で注入路を規定する孔を有するプレートとを備えており、前記プレートは注入路の上流部材と接触する上面と、ノズルの管状部と界面を形成する下面を備え、且つ、前記プレートは、該プレートの上面と対向する側に配置され、且つ、注入路の両側に配置された２つの平坦な支承面を備えている。
このノズルは、前記２つの面が注入路の軸と２０〜８０°の角度βをなすことを特徴とする。
管状部は、通常、円筒形、楕円形或いは円錐形とすることができる。プレートは、好ましくは正方形或いは長方形である。
【手続補正３】
【補正対象書類名】明細書
【補正対象項目名】００２０
【補正方法】変更
【補正の内容】
【００２０】
本発明におけるプレートの形状は、亀裂に敏感な領域の材料の量を増やす必要もなく亀裂に対する抵抗性を向上させる。これによって、全体の寸法は、従来技術のノズルと実質的に同じままである。
【手続補正４】
【補正対象書類名】明細書
【補正対象項目名】００２１
【補正方法】変更
【補正の内容】
【００２１】
本発明のノズルが挿入及び／又は除去装置に導入される場合、前記２つの支承面はノズルの交換方向と平行である。
【手続補正５】
【補正対象書類名】明細書
【補正対象項目名】００２５
【補正方法】変更
【補正の内容】
【００２５】
このように本発明は、ノズルの挿入及び除去装置用の押し付け装置にも関連する。本発明の押し付け装置は、生じるスラスト力を注入路の軸に対して１０〜７０°の角度αをなす方向に加えることが特徴である。
【手続補正書】
【提出日】平成18年12月20日(2006.12.20)
【手続補正１】
【補正対象書類名】特許請求の範囲
【補正対象項目名】請求項１４
【補正方法】変更
【補正の内容】
【請求項１４】
ａ）  間にロール間隙を有し、ロール間隙の両端に隣接した囲込み閉止部を有する、 一対の冷却鋳造ロールを組立て、
ｂ）  全酸素含量が少なくとも１００ｐｐｍで、遊離酸素含量が３０〜５０ｐｐｍの溶鋼を対の鋳造ロール間に導入して、鋳造ロール間に鋳造溜めを、中に形成される酸化物異物の大半が液相状態である温度で形成し、
ｃ）  鋳造ロールを相互方向に回転させ、溶鋼から熱を移して鋳造ロール表面に金属殻を形成することにより、殻が成長して溶鋼の全酸素含量に関係する酸化物異物を含んで鰐表面荒れのない鋼ストリップを形成し、
ｄ）  前記凝固殻から鋳造ロール間のロール間隙を経て凝固薄鋼ストリップを形成する
という段階で造られる、低表面粗度及び低多孔性を有する薄鋼ストリップ。
【手続補正２】
【補正対象書類名】明細書
【補正対象項目名】００１６
【補正方法】変更
【補正の内容】
【００１６】
ロール台車１３を構成する台車フレーム３１がホイール３２を介してレール３３に載り、レールは主機フレーム１１の一部に沿って延設されているので、ロール台車１３全体がレール３３に沿って移動可能に取付けられていることになる。台車フレーム３１が担持する一対のロールクレードル３４にロール１６が回転可能に取付けられる。ロールクレードル３４は、相互に係合した相補的な摺動部材３５，３６によって台車フレーム３１上に取付けられ、流体圧シリンダユニット３７，３８の影響のもとに台車上を動いて鋳造ロール１６間のロール間隙の幅を調節できるようになっており、ストリップに横弱化線(transverse line of weakness)を形成する必要がある時に短い時間でロールを離間できるようになっている。台車全体をレール３３に沿って移動させることができる複動流体圧ピストンシリンダユニット３９は、ロール台車上の駆動ブラケット４０と主機フレームとの間に接続されて、ロール台車をアセンブリステーション１４から鋳造ステーション１５へ、又その逆へと移動させることができるようになっている。
【手続補正３】
【補正対象書類名】明細書
【補正対象項目名】００３４
【補正方法】変更
【補正の内容】
【００３４】
異物のアルミナ含量は鋼の遊離酸素レベルに強い効果を有し、溶融物中の遊離酸素レベル制御に用いることができる。図１１は、アルミナ含量が増えるにつれ、鋼中の遊離酸素が減ることを示している。図１１で報告した遊離酸素はヘラオス・エレクトロ・ナイト(Heraeus Electro-Nite)で造られた、セロックス(Celox:登録商標)計測システムを用いて計測し、計測値は１６００℃に標準化して前記した請求項でのように遊離酸素含量の標準報告とした。アルミナの導入により、ＭｎＯ・ＳｉＯ2異物は希釈され、後に活性が減少して以下の式からわかるように遊離酸素レベルが減少する。
Ｍｎ＋Ｓｉ＋3Ｏ＋Ａｌ2Ｏ3  ⇔  (Ａｌ2Ｏ3)・ＭｎＯ・ＳｉＯ2
【手続補正４】
【補正対象書類名】明細書
【補正対象項目名】００５３
【補正方法】変更
【補正の内容】
【００５３】
鋳造試験に続き、より広範な製造が始められた。それらの全酸素及び遊離酸素レベルが図２９〜３８に報告されている。溶鋼含量の全酸素を約７０ｐｐｍ以上に保持しなければならず、遊離酸素含量が２０〜６０ｐｐｍに及ぶことを我々は見出した。このことが、２００３年８月３日〜２００３年１０月２日に行われた一連のシーケンス稼働に関して図２９〜図３８で報告された。